(57)【特許請求の範囲】
【請求項１】
有機エレクトロルミネッセンス表示装置に用いられるタッチパネル一体型有機エレクトロルミネッセンス表示装置用センサ電極基材であって、
透明基材と、前記透明基材の一方の表面側に配置されたセンサ電極とを有し、
前記センサ電極は、前記有機エレクトロルミネッセンス表示装置の非画素領域と平面視上重なる領域に配置され、
前記センサ電極は、メッシュ状の第１メッシュ電極、およびメッシュ状の第２メッシュ電極を有し、
前記透明基材上に、円偏光板を有し、
前記円偏光板上に、前記センサ電極を有することを特徴とするタッチパネル一体型有機エレクトロルミネッセンス表示装置用センサ電極基材。
【請求項２】
有機エレクトロルミネッセンス表示装置に用いられるタッチパネル一体型有機エレクトロルミネッセンス表示装置用センサ電極基材であって、
透明基材と、前記透明基材の一方の表面側に配置されたセンサ電極とを有し、
前記センサ電極は、前記有機エレクトロルミネッセンス表示装置の非画素領域と平面視上重なる領域に配置され、
前記センサ電極は、メッシュ状の第１メッシュ電極、およびメッシュ状の第２メッシュ電極を有し、
前記透明基材上に、円偏光板を有し、
前記円偏光板上に、複数の開口部を有するブラックマトリクスを有し、
前記センサ電極が、前記ブラックマトリクスに平面視上重なるように、前記ブラックマトリクス上に配置されていることを特徴とするタッチパネル一体型有機エレクトロルミネッセンス表示装置用センサ電極基材。
【請求項３】
前記透明基材が、フレキシブル性を有することを特徴とする請求項１または請求項２に記載のタッチパネル一体型有機エレクトロルミネッセンス表示装置用センサ電極基材。
【請求項４】
前記第１メッシュ電極上には絶縁層が配置され、
前記絶縁層上に、前記第２メッシュ電極が配置されていることを特徴とする請求項１から請求項３までのいずれかの請求項に記載のタッチパネル一体型有機エレクトロルミネッセンス表示装置用センサ電極基材。
【請求項５】
前記第１メッシュ電極および前記第２メッシュ電極は、それぞれが交差する交差領域およびそれ以外の領域である非交差領域を有しており、
前記交差領域では、前記第１メッシュ電極および前記第２メッシュ電極は、絶縁層を介して積層されており、
前記非交差領域では、前記第１メッシュ電極および前記第２メッシュ電極は、同一平面上に配置されていることを特徴とする請求項１から請求項３までのいずれかの請求項に記載のタッチパネル一体型有機エレクトロルミネッセンス表示装置用センサ電極基材。
【請求項６】
前記第１メッシュ電極および前記第２メッシュ電極は、同一平面上に配置され、
前記第１メッシュ電極はストライプ状に配置され、
前記第２メッシュ電極は、前記第１メッシュ電極のストライプの間に非連続に複数個が配置されていることを特徴とする請求項１から請求項３までのいずれかの請求項に記載のタッチパネル一体型有機エレクトロルミネッセンス表示装置用センサ電極基材。
【請求項７】
前記センサ電極が配置された表示領域の外周となる非表示領域に、加飾部を有することを特徴とする請求項１から請求項６までのいずれかの請求項に記載されたタッチパネル一体型有機エレクトロルミネッセンス表示装置用センサ電極基材。
【請求項８】
前記センサ電極により画素領域が画定され、
前記画素領域に、着色部を有することを特徴とする請求項１から請求項７までのいずれかの請求項に記載されたタッチパネル一体型有機エレクトロルミネッセンス表示装置用センサ電極基材。
【請求項９】
請求項１から請求項８までのいずれかの請求項に記載されたタッチパネル一体型有機エレクトロルミネッセンス表示装置用センサ電極基材と、
有機エレクトロルミネッセンスパネルと
を有することを特徴とするタッチパネル一体型有機エレクトロルミネッセンス表示装置。
【請求項１０】
第１のガラス基材上に貼着され、第１の透明基材上にセンサ電極が形成されたタッチパネル一体型有機エレクトロルミネッセンス表示装置用センサ電極基材を準備するタッチパネル一体型有機エレクトロルミネッセンス表示装置用センサ電極基材準備工程と、
第２のガラス基材上に貼着された有機エレクトロルミネッセンス基材を準備する有機エレクトロルミネッセンス基材準備工程と、
前記タッチパネル一体型有機エレクトロルミネッセンス表示装置用センサ電極基材、および前記有機エレクトロルミネッセンス基材を貼り合わせる貼合工程と
を有し、
前記タッチパネル一体型有機エレクトロルミネッセンス表示装置用センサ電極基材が、請求項１から請求項８までのいずれかの請求項に記載された前記タッチパネル一体型有機エレクトロルミネッセンス表示装置用センサ電極基材であることを特徴とするタッチパネル一体型有機エレクトロルミネッセンス表示装置の製造方法。
【発明の詳細な説明】
【技術分野】
【０００１】
本発明は、メッシュ状の第１メッシュ電極および第２メッシュ電極を有するセンサ電極を備えたタッチパネル一体型有機エレクトロルミネッセンス表示装置用センサ電極基材、有機エレクトロルミネッセンス表示装置、および有機エレクトロルミネッセンス表示装置の製造方法に関するものである。
【背景技術】
【０００２】
近年、表示装置の発達に伴って、液晶表示装置、有機エレクトロルミネッセンス表示装置等のフラットパネル表示装置の需要が増加している。最近では、テレビやパーソナルコンピューターの他にも、スマートフォン、タブレット端末等の多機能端末の普及が盛んになっており、益々フラットパネル表示装置の市場は拡大する状況にある。このような状況において、フラットパネル表示装置を構成する各部材に関する研究が盛んに行われている。
【０００３】
このような現在の表示装置としては、タッチパネル機能を備えたタッチパネル一体型表示装置が注目されている。タッチパネル一体型表示装置は、例えば、スマートフォン等の携帯電話やタブレット等にも多く使用されている。タッチパネル方式には、静電容量方式、電気抵抗膜方式、電磁誘導方式、赤外線方式等、様々な方式のものがあるが、中でも、静電容量方式である投影型静電容量方式のタッチパネルの場合には、多点同時入力が可能であり、指先で直感的な操作が可能であり、さらに、耐久性に優れるという点で、急速に普及している。
【０００４】
投影型静電容量方式のタッチパネルとしては、Ｘ方向（縦）およびＹ方向（横）に延設されたセンサ電極を有するセンサ電極基材が用いられる。例えば、特許文献１には、透明樹脂シートと、透明樹脂シートの一方の側の面上の第１検出電極と、透明樹脂シートの他方の側の面上の第２検出電極とを有し、第１検出電極および第２検出電極がメッシュ状の電極であるセンサ電極基材が開示されている。
【０００５】
ここで、「延設される」とは、センサ電極基材を全体的かつ大局的に見た場合に、その方向に延伸して形成されることを示す。したがって、センサ電極がＸ方向（縦）およびＹ方向（横）に延設されるとは、センサ電極が、Ｘ方向およびＹ方向にそれぞれ導通可能に形成されていることを示す。
【０００６】
特許文献１のように、メッシュ状のセンサ電極を用いたセンサ電極基材の場合、透明導電膜を用いたセンサ電極基材に比べてフレキシブル表示装置に好適であるという利点を有する。また、メッシュ状のセンサ電極の場合、金属材料を用いることができるため、酸化インジウム錫（ＩＴＯ）等の透明導電性材料を用いる透明導電膜に比べて、コストを低減することができる。
【先行技術文献】
【特許文献】
【０００７】
【特許文献１】特開２０１５−１７２９５３号公報
【発明の概要】
【発明が解決しようとする課題】
【０００８】
しかしながら、メッシュ状のセンサ電極を用いたセンサ電極基材の場合、センサ電極を構成する材料が金属等の不透明な材料であることから、表示領域に配置されたメッシュ状のセンサ電極により透明性が低下し、当該センサ電極基材を用いた表示装置の視認性が低下してしまうという問題がある。また、メッシュ状のセンサ電極は不透明であるため、表示領域から視認されるセンサ電極にモアレが発生してしまうという問題がある。そこで、センサ電極の線幅を細くして、表示領域から視認されるセンサ電極を目立たなくすることも可能であるが、この場合、センサ電極の抵抗を低くすることが困難になるという問題がある。
【０００９】
本発明は、上記実情に鑑みてなされたものであり、メッシュ状のセンサ電極を用いたセンサ電極基材において、センサ電極による透明性の低下を抑制し、かつセンサ電極を低抵抗化することが可能なセンサ電極基材を提供することを主目的とする。
【課題を解決するための手段】
【００１０】
上記課題を解決するために鋭意研究を行った結果、本発明の発明者等は、まず、有機エレクトロルミネッセンス表示装置においては、着色部の製造上の都合により、各画素間の距離が比較的広くなるという点に着目した。その結果、各画素間の距離が広くなると、各画素を画定するブラックマトリクスの線幅が広がるため、当該ブラックマトリクス上にセンサ電極を配置した場合に、センサ電極が表示領域から視認されることを抑制することができ、さらにセンサ電極の線幅を細くすることによる抵抗の増加を抑制することができることを見出した。本発明の発明者等は、このようにして、本発明を完成させるに至った。
なお、以下、有機エレクトロルミネッセンスを有機ＥＬと略して説明する場合がある。
【００１１】
すなわち、本発明は、有機ＥＬ表示装置に用いられるタッチパネル一体型有機ＥＬ表示装置用センサ電極基材であって、透明基材と、上記透明基材の一方の表面側に配置されたセンサ電極とを有し、上記センサ電極は、上記有機ＥＬ表示装置の非画素領域と平面視上重なる領域に配置され、上記センサ電極は、メッシュ状の第１メッシュ電極、およびメッシュ状の第２メッシュ電極を有することを特徴とするタッチパネル一体型有機ＥＬ表示装置用センサ電極基材を提供する。
【００１２】
本発明によれば、センサ電極が第１メッシュ電極および第２メッシュ電極を有し、第１メッシュ電極および第２メッシュ電極がメッシュ状であることにより、有機ＥＬ表示装置における非画素領域に平面視上重なるように、センサ電極を配置することができる。よって、センサ電極による透明性の低下を抑制することが可能なセンサ電極基材とすることができる。また、センサ電極基材が有機ＥＬ表示装置に用いられる部材であることから、画素間の距離を比較的広く形成することができる。そのため、センサ電極を非画素領域に平面視上重なるように配置した場合に、センサ電極の線幅を十分に確保することができ、低抵抗化を図ることが可能なセンサ電極基材とすることができる。
【００１３】
本発明においては、上記透明基材上に、複数の開口部を有するブラックマトリクスが配置され、上記センサ電極が、上記ブラックマトリクスに平面視上重なるように、上記ブラックマトリクス上に配置されていることが好ましい。センサ電極がブラックマトリクスに平面視上重なるように配置されていることにより、ブラックマトリクスによりセンサ電極が視認されることを抑制することができ、センサ電極による透明性の低下を効果的に抑制することができるからである。
【００１４】
本発明においては、透明基材が、フレキシブル性を有することが好ましい。本発明のセンサ電極基材を、フレキシブル性を有する有機ＥＬ表示装置に用いることができ、用途の幅が広がるからである。
【００１５】
本発明においては、上記第１メッシュ電極上には絶縁層が配置され、上記絶縁層上に、上記第２メッシュ電極が配置されていても良い。
【００１６】
本発明においては、上記第１メッシュ電極および上記第２メッシュ電極は、それぞれが交差する交差領域およびそれ以外の領域である非交差領域を有しており、上記交差領域では、上記第１メッシュ電極および上記第２メッシュ電極は、絶縁層を介して積層されており、上記非交差領域では、上記第１メッシュ電極および上記第２メッシュ電極は、同一平面上に配置されていても良い。
【００１７】
本発明においては、上記第１メッシュ電極および上記第２メッシュ電極は、同一平面上に配置され、上記第１メッシュ電極はストライプ状に配置され、上記第２メッシュ電極は、上記第１メッシュ電極のストライプの間に非連続に複数個が配置されていても良い。
【００１８】
本発明においては、上記センサ電極が配置された表示領域の外周となる非表示領域に、上記ブラックマトリクスと同一材料により構成された加飾部を有することが好ましい。加飾部を有することにより、非表示領域に配置された配線や制御回路等を隠して、外観の向上を図ることができ、センサ電極基材の透明基材側に設けられる前面板保護基材に、別途加飾部を設ける必要がなくなる。また、加飾部が、ブラックマトリクスと同一材料により構成されることにより、加飾部およびブラックマトリクスを同時に形成することができる。
【００１９】
本発明においては、上記センサ電極により画素領域が画定され、上記画素領域に、着色部を有することが好ましい。本発明のセンサ電極基材とカラーフィルタとを一体とすることができるため、センサ電極基材とカラーフィルタとを別体として設ける場合に比べて、有機ＥＬ表示装置の厚みを薄くすることができる。
【００２０】
本発明においては、上記透明基材に円偏光板有し、上記円偏光板上に、上記センサ電極を有することが好ましい。本発明のセンサ電極基材が円偏光板を有することにより、高性能な有機ＥＬ表示装置とすることができる。
【００２１】
また、本発明は、上述したタッチパネル一体型有機ＥＬ表示装置用センサ電極基材と、有機ＥＬパネルとを有することを特徴とするタッチパネル一体型有機ＥＬ表示装置を提供する。
【００２２】
本発明によれば、タッチパネル一体型有機ＥＬ表示装置用センサ電極基材が、センサ電極が第１メッシュ電極および第２メッシュ電極を有し、第１メッシュ電極および第２メッシュ電極がブラックマトリクス上に配置されていることにより、センサ電極による透明性の低下を抑制することが可能なタッチパネル一体型有機ＥＬ表示装置とすることができる。また、タッチパネル一体型有機ＥＬ表示装置用センサ電極基材が有機ＥＬ表示装置に用いられる部材であることから、ブラックマトリクスを比較的広く形成することができるため、センサ電極の線幅を十分に確保することができ、低抵抗化を図ることができ、高性能なタッチパネル一体型有機ＥＬ表示装置とすることができる。
【００２３】
さらに、本発明は、第１のガラス基材上に貼着され、第１の透明基材上にセンサ電極が形成されたタッチパネル一体型有機ＥＬ表示装置用センサ電極基材を準備するタッチパネル一体型有機ＥＬ表示装置用センサ電極基材準備工程と、第２のガラス基材上に貼着された有機ＥＬ基材を準備する有機ＥＬ基材準備工程と、上記タッチパネル一体型有機ＥＬ表示装置用センサ電極基材、および上記有機ＥＬ基材を貼り合わせる貼合工程とを有し、上記タッチパネル一体型有機ＥＬ表示装置用センサ電極基材が、上述した上記タッチパネル一体型有機ＥＬ表示装置用センサ電極基材であることを特徴とするタッチパネル一体型有機ＥＬ表示装置の製造方法を提供する。
【００２４】
本発明によれば、第１のガラス基材上に貼着されたセンサ電極基材と、第２のガラス基材上に貼着された有機ＥＬ基材とを貼り合わせる貼合工程を有することにより、熱等による各基材の収縮を抑制することができ、精度の高い位置合わせを行うことができる。また、各部材を第１のガラス基材および第２のガラス基材上にそれぞれ積層していくことにより、各部材を支持基材上に個別に形成する場合に比べて、タッチパネル一体型有機ＥＬ表示装置の厚みを薄くすることが可能となる。
【発明の効果】
【００２５】
本発明は、メッシュ状のセンサ電極を用いたセンサ電極基材において、センサ電極による透明性の低下を抑制し、かつセンサ電極を低抵抗化することが可能なセンサ電極基材とすることができるという効果を奏する。
【図面の簡単な説明】
【００２６】
【図１】本発明のセンサ電極基材の一例を示す概略断面図である。
【図２】本発明のセンサ電極基材の他の例を示す概略平面図および概略断面図である。
【図３】本発明のセンサ電極基材の他の例を示す概略平面図である。
【図４】本発明のセンサ電極基材の他の例を示す概略平面図および概略断面図である。
【図５】本発明のセンサ電極基材の他の例を示す概略平面図である。
【図６】本発明のセンサ電極基材の他の例を示す概略断面図である。
【図７】本発明のセンサ電極基材の他の例を示す概略断面図である。
【図８】本発明のセンサ電極基材の他の例を示す概略平面図、拡大図および概略断面図である。
【図９】本発明のセンサ電極基材の他の例を示す概略平面図である。
【図１０】本発明のセンサ電極基材の他の例を示す概略平面図および概略断面図である。
【図１１】本発明のセンサ電極基材の他の例を示す概略平面図および概略断面図である。
【図１２】本発明のセンサ電極を説明するための説明図である。
【図１３】本発明のセンサ電極基材の他の例を示す概略断面図である。
【図１４】本発明のセンサ電極基材の他の例を示す概略断面図である。
【図１５】本発明のセンサ電極基材の他の例を示す概略断面図である。
【図１６】本発明のセンサ電極基材の製造方法の一例を示す概略工程図である。
【図１７】本発明の有機ＥＬ表示装置の一例を示す概略平面図である。
【図１８】本発明の有機ＥＬ表示装置の製造方法の一例を示す概略工程図である。
【図１９】比較例１におけるセンサ電極の一例を示す概略平面図である。
【発明を実施するための形態】
【００２７】
以下、本発明のタッチパネル一体型有機ＥＬ表示装置用センサ電極基材、タッチパネル一体型有機ＥＬ表示装置、およびタッチパネル一体型有機ＥＬ表示装置の製造方法について説明する。
【００２８】
Ａ．タッチパネル一体型有機ＥＬ表示装置用センサ電極基材
本発明のタッチパネル一体型有機ＥＬ表示装置用センサ電極基材は、有機ＥＬ表示装置に用いられるタッチパネル一体型有機ＥＬ表示装置用センサ電極基材であって、透明基材と、上記透明基材の一方の表面側に配置されたセンサ電極とを有し、上記センサ電極は、上記有機ＥＬ表示装置の非画素領域と平面視上重なる領域に配置され、上記センサ電極は、メッシュ状の第１メッシュ電極、およびメッシュ状の第２メッシュ電極を有することを特徴とする部材である。
なお、以下、タッチパネル一体型有機ＥＬ表示装置用センサ電極基材をセンサ電極基材と略して説明する場合がある。
【００２９】
本発明のセンサ電極基材について、図を参照しながら説明する。図１（ａ）、（ｂ）は、本発明のセンサ電極基材の一例を示す概略断面図である。本発明のセンサ電極基材１は、図１（ａ）に示すように、透明基材２と、透明基材２上に配置されたセンサ電極４とを有していても良く、図１（ｂ）に示すように、透明基材２と、透明基材２上に配置され、複数の開口部を有するブラックマトリクス３と、ブラックマトリクス３上に配置されたセンサ電極４とを有していても良い。また、本発明のセンサ電極基材１におけるセンサ電極４は、メッシュ状の第１メッシュ電極４ａおよび第２メッシュ電極４ｂを有する。
【００３０】
ここで、有機ＥＬ表示装置の非画素領域と平面視上重なる領域とは、本発明のセンサ電極基材を有機ＥＬ表示装置に用いた際に、有機ＥＬ表示パネルにおいて有機ＥＬ画素が配置されていない非画素領域と、平面視上重なる領域をいう。例えば、図１８（ｃ）に示すように、有機ＥＬ画素１３が配置されていない非画素領域（ここでは、符号１２で示されるＴＦＴおよびＴＦＴに接続される信号配線が配置された領域）と、平面視上重なるようにセンサ電極４が配置される。なお、図１８の詳しい説明については後述するため、ここでの記載は省略する。
【００３１】
本発明によれば、センサ電極が第１メッシュ電極および第２メッシュ電極を有し、第１メッシュ電極および第２メッシュ電極がメッシュ状であることにより、有機ＥＬ表示装置における非画素領域に平面視上重なるように、センサ電極を配置することができる。これにより、センサ電極による透明性の低下を抑制することが可能なセンサ電極基材とすることができる。
また、本発明のセンサ電極基材は、有機ＥＬ表示装置に用いられる部材である。ここで、有機ＥＬ表示装置に用いられる有機ＥＬ画素は、通常、メタルマスクを用いてパターンすることにより形成されるため、各画素領域の間の間隔が比較的広いという特徴を有する。本発明の発明者等は、このような特徴に着目した。その結果、有機ＥＬ表示装置に用いられるセンサ電極基材の場合、非画素領域を比較的広く形成することができるため、センサ電極の線幅を十分に確保することができ、低抵抗化を図ることが可能なセンサ電極基材とすることができるということを発見した。
さらに、本発明のセンサ電極基材は、メッシュ状の第１メッシュ電極および第２メッシュ電極により構成されるため、例えば、フレキシブル性を有する有機ＥＬ表示装置にも好適であるという効果を奏する。
【００３２】
以下、本発明のセンサ電極基材を構成するセンサ電極、ブラックマトリクスおよび透明基材について説明する。
【００３３】
１．センサ電極
本発明におけるセンサ電極は、後述する透明基材上に配置される部材であり、メッシュ状の第１メッシュ電極および第２メッシュ電極を有する部材である。
【００３４】
本発明におけるセンサ電極は、メッシュ状の第１メッシュ電極、およびメッシュ状の第２メッシュ電極を有する。すなわち、本発明におけるセンサ電極は、Ｘ方向に接続され駆動電極として機能するメッシュ状の第１メッシュ電極、およびＸ方向と交差するＹ方向に接続され検出電極として機能するメッシュ状の第２メッシュ電極を有する。
例えば、後述する第１態様において、第１メッシュ電極が透明基材上に形成され、第２メッシュ電極が絶縁層を介して積層された場合は、タッチパネルの操作は透明基材側から操作するものであるので、第１メッシュ電極が検出電極となり、第２メッシュ電極が駆動電極となる。
センサ電極による位置検知が行われる原理は、次の通りである。すなわち、複数の第１メッシュ電極が、各行毎にＸ方向に接続され、複数の第２メッシュ電極が、各列毎にＹ方向に接続されているセンサ電極基材において、例えば、第１メッシュ電極に駆動電圧が印加されることにより、第１メッシュ電極および第２メッシュ電極の間に静電容量が形成される。このようにして静電容量が形成された面に指等が接触すると、指と接触した面との間に静電容量が形成されることになり、第１メッシュ電極および第２メッシュ電極間に形成された静電容量が大きく変化する。この変化を検出することにより、指が接触した位置検知を行うことが可能となる。
【００３５】
本発明におけるセンサ電極は、通常、ブラックマトリクスと平面視上重なるように配置される部材である。したがって、図１（ａ）に示すように、センサ電極４が透明基材２上に配置される場合には、通常、ブラックマトリクスを有する基材を別途設けるか、あるいは、センサ電極がブラックマトリクスとしての機能を兼ね備えていることが好ましい。ここで、センサ電極がブラックマトリクスとしての機能を兼ね備えるとは、例えば、センサ電極が、ブラックマトリクスと同様の遮光性を有することをいう。
なお、本発明のセンサ電極基材としては、通常は、図１（ｂ）に示すように、透明基材２上に、ブラックマトリクス３を有し、ブラックマトリクス３上にセンサ電極４を有する構成をなす。
したがって、以下、センサ電極基材が、透明基材、ブラックマトリクスおよびセンサ電極を有する場合を中心に説明する。
【００３６】
（１）配置
第１メッシュ電極および第２メッシュ電極の配置は、透明基材上であって、有機ＥＬ表示装置に用いる際の非画素領域に相当する領域に配置されることが好ましく、それぞれがタッチパネルの位置検知を行うことが可能な位置に配置されることが好ましい。
以下、本発明における第１メッシュ電極および第２メッシュ電極の配置について、具体例を挙げて説明する。
【００３７】
（ａ）第１態様
本態様においては、第１メッシュ電極上には絶縁層が配置され、絶縁層上に、第２メッシュ電極が配置されていても良い。
【００３８】
本態様における第１メッシュ電極および第２メッシュ電極の配置について、図を参照しながら説明する。図２（ａ）は、本態様における第１メッシュ電極４ａおよび第２メッシュ電極４ｂを示す概略平面図であり、図２（ｂ）は、図２（ａ）のＡ−Ａ線断面図である。図２（ａ）に示すように、本態様における第１メッシュ電極４ａおよび第２メッシュ電極４ｂは、センサ電極基材の厚み方向に重なるように配置することができる。このとき、第１メッシュ電極４ａおよび第２メッシュ電極４ｂは、図２（ｂ）に示すように、ブラックマトリクス３上に配置され、第１メッシュ電極４ａおよび第２メッシュ電極４ｂの間には、絶縁層５が配置される。なお、図２（ａ）、（ｂ）に示す例は、開口部を介して隣接するブラックマトリクス３上に、第１メッシュ電極４ａを構成する線状の電極と第２メッシュ電極４ｂを構成する線状の電極とが、交互に配置された例である。
なお、図２（ａ）では、図を簡略化するために、透明基材、ブラックマトリクス、絶縁層を省略している。
【００３９】
本態様は、第１メッシュ電極および第２メッシュ電極が厚み方向に重なるように配置された態様であり、第１メッシュ電極および第２メッシュ電極の形状は特に限定されない。そのため、第１メッシュ電極および第２メッシュ電極の形状は、上述した図２（ａ）に示すような形状の他にも、例えば、図３に示すような形状とすることができる。
【００４０】
図２および図３に示す本態様によれば、第１メッシュ電極を構成する線状の電極および第２メッシュ電極を構成する線状の電極が、ブラックマトリクス上に交互に配置されるため、第１メッシュ電極および第２メッシュ電極が全体的に重ならない配置とすることができる。したがって、電界が局在化することを抑制して、センサ感度の低下を抑制することが可能である。具体的には、タッチパネルに触れた指等の導体とセンサ電極とが電気的に接続されやすくなるため、位置検知の感度の低下を抑制することが可能である。
また、通常は、第１メッシュ電極および第２メッシュ電極が配置された領域と、第１メッシュ電極および第２メッシュ電極のいずれも配置されない領域とで、視認性に差異が生じるという理由から、第１メッシュ電極および第２メッシュ電極のいずれも配置されない領域にダミーメッシュ電極が配置される場合がある。しかしながら、図２、３に示す本態様によれば、第１メッシュ電極および第２メッシュ電極のいずれもが、ブラックマトリクスに平面視上重なるように配置されているため、上述のような理由によりダミーメッシュ電極を配置する必要がないという効果を奏する。
【００４１】
また、本態様は、図２、３に示すように、センサ電極基材を縦断面から観察した際に、開口部を介して隣接するブラックマトリクス３上に、第１メッシュ電極４ａを構成する線状の電極と第２メッシュ電極４ｂを構成する線状の電極とが、交互に配置されていても良く、あるいは、図４（ａ）、（ｂ）に示すように、一のブラックマトリクス３上に、第１メッシュ電極４ａを構成する線状の電極と第２メッシュ電極４ｂを構成する線状の電極とが、平面視上重なるように配置されていても良い。なお、図４（ａ）は、本態様に第１
メッシュ電極４ａおよび第２メッシュ電極４ｂを示す概略平面図であり、図４（ｂ）は、図４（ａ）のＢ−Ｂ線断面図である。また、図４（ａ）では、図を簡略化するために、透明基材、ブラックマトリクス、絶縁層を省略している。
【００４２】
本態様によれば、例えば、図４（ａ）、（ｂ）に示すように、第１メッシュ電極および第２メッシュ電極が、平面視上重なるように配置されていることにより、第１メッシュ電極および第２メッシュ電極のメッシュピッチを小さく設計することができる。そのため、センサ電極の低抵抗化を図ることが可能となる。また、センサ電極の低抵抗化により、高周波信号での駆動が可能となり、相対的にディスプレイからのノイズに対する性能を向上させることができる。
なお、ここでいうメッシュピッチとは、センサ電極において、隣接する線状の電極の間の距離をいい、例えば、図４（ａ）における符号Ｐで示す距離をいう。
【００４３】
（ｂ）第２態様
本態様においては、第１メッシュ電極および第２メッシュ電極は、それぞれが交差する交差領域およびそれ以外の領域である非交差領域を有しており、交差領域では、第１メッシュ電極および第２メッシュ電極は、絶縁層を介して積層されており、非交差領域では、第１メッシュ電極および第２メッシュ電極は、同一平面上に配置されていても良い。
【００４４】
ここで、「第１メッシュ電極および第２メッシュ電極は、同一平面上に配置される」とは、第１メッシュ電極および第２メッシュ電極が、共に同一の平面上に配置されていることを指す。したがって、例えば、第１メッシュ電極および第２メッシュ電極が、透明基材の表面上に配置されている場合や、第１メッシュ電極および第２メッシュ電極が、絶縁層の表面上に配置されている場合を含む。
【００４５】
本態様における第１メッシュ電極および第２メッシュ電極の配置について、図を参照しながら説明する。図５は、本態様における第１メッシュ電極４ａおよび第２メッシュ電極４ｂを示す概略平面図である。図５に示すように、本態様における第１メッシュ電極４ａおよび第２メッシュ電極４ｂは、それぞれ交差するように延設され、第１メッシュ電極４ａおよび第２メッシュ電極４ｂが交差する交差領域では、ブラックマトリクス３上に、絶縁層５を介して第１メッシュ電極４ａおよび第２メッシュ電極４ｂが重なるように配置することができる。また、第１メッシュ電極４ａおよび第２メッシュ電極４ｂは、ブラックマトリクス３上に配置することができる。
なお、図５では、図を簡略化するために、透明基材、ブラックマトリクス、絶縁層を省略している。
【００４６】
本態様においては、少なくとも第１メッシュ電極および第２メッシュ電極が交差する交差領域において、第１メッシュ電極および第２メッシュ電極が絶縁層を介して厚み方向に重なるように配置されていれば良い。
以下、図を参照しながら説明する。
【００４７】
図６（ａ）は、センサ電極基材を、例えば、図５のＣ−Ｃ線断面から観察した概略断面図に相当し、図６（ｂ）は、例えば、図５のＤ−Ｄ線断面から観察した概略断面図に相当する。本態様においては、図６（ａ）、（ｂ）に示すように、第１メッシュ電極４ａおよび第２メッシュ電極４ｂが交差する交差領域のみに、島状に絶縁層５が配置されていても良い。
【００４８】
また、図７（ａ）は、センサ電極基材を、例えば、図５のＣ−Ｃ線断面から観察した概略断面図に相当し、図７（ｂ）は、例えば、図５のＤ−Ｄ線断面から観察した概略断面図に相当する。本態様においては、図７（ａ）、（ｂ）に示すように、第１メッシュ電極４ａおよび第２メッシュ電極４ｂが交差する交差領域以外の領域を非交差領域としたとき、非交差領域では、絶縁層５上に、第１メッシュ電極４ａおよび第２メッシュ電極４ｂが配置され、交差領域では、ブラックマトリクス３上に配置された絶縁層５を介して、第１メッシュ電極４ａおよび第２メッシュ電極４ｂが厚み方向に重なるように配置されていても良い。この場合、交差領域でブラックマトリクス３および絶縁層５の間に配置された第１メッシュ電極４ａは、非交差領域において絶縁層５上に配置された第１メッシュ電極４ａと、絶縁層５に設けられたスルーホールを介して導通する。
【００４９】
本態様によれば、第１メッシュ電極および第２メッシュ電極の配置が、例えば、図６（ａ）、（ｂ）や図７（ａ）、（ｂ）のような配置である場合には、センサ電極基材の初期容量値を、ダミーメッシュ電極の挿入や、第１メッシュ電極および第２メッシュ電極の間の距離や形状等に応じて適宜調整することができる。すなわち、初期容量値の調整幅が向上するという効果を有する。
また、通常は、第１メッシュ電極および第２メッシュ電極が配置された領域と、第１メッシュ電極および第２メッシュ電極のいずれも配置されない領域とで、可視光の反射率差や透過率差が生じ、視認性に差異が生じるという理由から、第１メッシュ電極および第２メッシュ電極のいずれも配置されない領域にダミーメッシュ電極が配置される場合がある。しかしながら、図６（ａ）、（ｂ）および図７（ａ）、（ｂ）に示す本態様によれば、第１メッシュ電極および第２メッシュ電極のいずれもが、ブラックマトリクスに平面視上重なるように配置されているため、上述のような理由によりダミーメッシュ電極を配置する必要がないという効果を奏する。
【００５０】
さらに、本態様によれば、第１メッシュ電極および第２メッシュ電極の配置が、例えば、図６（ａ）、（ｂ）のような配置である場合には、第１メッシュ電極および第２メッシュ電極によるコンタクト面積を大きくとることができるため、コンタクト性の高いセンサ電極基材とすることができる。さらに、本態様によれば、第１メッシュ電極および第２メッシュ電極の配置が、例えば、図７（ａ）、（ｂ）のような配置である場合には、島状の絶縁層を必要とせず、スルーホールを小さくすることができるため、このような設計による視認性の低下を抑制することができる。
【００５１】
（ｃ）第３態様
本態様においては、第１メッシュ電極および第２メッシュ電極は、同一平面上に配置され、第１メッシュ電極はストライプ状に配置され、第２メッシュ電極は、第１メッシュ電極のストライプの間に非連続に複数個が配置されていても良い。
【００５２】
ここで、「センサ電極がストライプ状に配置される」とは、センサ電極を全体的かつ大局的に見た場合に、センサ電極がストライプ状に延伸して形成されることを示す。したがって、第１メッシュ電極がストライプ状に配置されるとは、第１メッシュ電極が、ストライプ状に導通可能に形成されていることを示す。
また、「第２メッシュ電極は、第１メッシュ電極のストライプの間に非連続に複数個が配置される」とは、上述のようにストライプ状に配置された第１メッシュ電極が、所定の間隔を空けて並列に配置されている場合に、隣接するストライプ状の第１メッシュ電極の間に、第１メッシュ電極のストライプの延伸方向に直交する方向に延びた第２メッシュ電極が複数個配置されることを示す。具体的には、例えば、図８（ａ）に示すように、ストライプ状の第１メッシュ電極４ａの間に、複数個の第２メッシュ電極４ｂが非連続に配置されていることを指す。なお、図８について、以下詳細に説明する。
【００５３】
本態様における第１メッシュ電極および第２メッシュ電極の配置について、図を参照しながら説明する。図８（ａ）は、本態様における第１メッシュ電極４ａ、第２メッシュ電極４ｂおよび配線Ｗを示す概略平面図であり、図８（ｂ）は図８（ａ）における領域Ｒの拡大図であり、図８（ｃ）は、図８（ｂ）のＥ−Ｅ線断面図である。図８（ａ）〜（ｃ）に示すように、本態様における第１メッシュ電極４ａおよび第２メッシュ電極４ｂは、同一平面上、すなわちブラックマトリクス３上に、並列に配置することができる。また、第１メッシュ電極４ａはストライプ状に配置され、第１メッシュ電極４ａのストライプの間には、第２メッシュ電極４ｂを、非連続に複数個配置することができる。また、第１メッシュ電極４ａおよび第２メッシュ電極４ｂが、図８（ａ）〜（ｃ）に示すように配置されている場合、第２メッシュ電極４ｂは、配線Ｗにより接続され、このとき、第１メッシュ電極４ａおよび第２メッシュ電極４ｂのいずれもが配置されていない領域には、ダミーメッシュ電極４ｃが配置されていても良い。
なお、ダミーメッシュ電極については後述するため、ここでの詳しい説明は省略する。また、図８（ａ）では、図を簡略化するために、ダミーメッシュ電極を省略しており、図８（ｂ）では、透明基材およびブラックマトリクスを省略している。
【００５４】
本態様によれば、例えば、図８（ａ）〜（ｃ）に示すように、第１メッシュ電極および第２メッシュ電極が、同一平面上に配置されることにより、製造工程において、第１メッシュ電極および第２メッシュ電極を同時に形成することが可能となる。そのため、製造工程の削減し、コスト削減を図ることが可能となる。また、本態様においては、第１メッシュ電極および第２メッシュ電極が、同一平面上に配置されていることにより、第１メッシュ電極および第２メッシュ電極のメッシュピッチを小さく設計することができる。そのため、センサ電極の低抵抗化を図ることが可能となる。また、センサ電極の低抵抗化により、高周波信号での駆動が可能となり、相対的にディスプレイからのノイズに対する性能を向上させることができる。
【００５５】
また、本態様においては、第１メッシュ電極を全体的または大局的に見た場合の形状をストライプ状とすることができるが、その際、例えば図９に示すように、第１メッシュ電極４ａが、凹凸形状を有するストライプ状に配置されていても良い。この場合、第１メッシュ電極４ａの凸部を、第２メッシュ電極４ｂが囲うような形状で配置されていることが好ましい。また、第１メッシュ電極４ａおよび第２メッシュ電極４ｂのいずれもが配置されていない領域には、ダミーメッシュ電極が配置されていても良い。
なお、図９では、図を簡略化するために、ダミーメッシュ電極を省略している。
【００５６】
（ｄ）第４態様
本態様においては、第１メッシュ電極を構成する複数の線状の電極および第２メッシュ電極を構成する複数の線状の電極の少なくとも一方を、ストライプ状に配置することができる。
【００５７】
ここでの「センサ電極を構成する複数の線状の電極をストライプ状に配置する」とは、センサ電極を構成する複数の線状の電極を、互いに交差した網目状ではなく、並列に配列したストライプ状に配置することを指す。具体的には、図１０（ａ）に示す第１メッシュ電極４ａおよび第２メッシュ電極４ｂのような形状を指す。
【００５８】
本態様における第１メッシュ電極および第２メッシュ電極の配置について、図を参照しながら説明する。図１０（ａ）は、本態様における第１メッシュ電極４ａおよび第２メッシュ電極４ｂを示す概略平面図であり、図１０（ｂ）は、図１０（ａ）のＦ−Ｆ線断面図である。図１０（ａ）、（ｂ）に示すように、第１メッシュ電極４ａを構成する複数の線状の電極が、Ｘ方向にストライプ状に並列に配列され、第２メッシュ電極４ｂを構成する複数の線状の電極が、Ｘ方向に直交するＹ方向にストライプ状に並列に配列されるように配置されていても良い。このとき、図１０（ｂ）に示すように、第１メッシュ電極４ａおよび第２メッシュ電極４ｂは、ブラックマトリクス３と平面視上重なるように配置される。
なお、図１０（ａ）では、図を簡略化するために、透明基材、ブラックマトリクス、絶縁層を省略している。
【００５９】
また、図１１（ａ）は、本態様における第１メッシュ電極４ａおよび第２メッシュ電極４ｂを示す概略平面図であり、図１１（ｂ）は、図１１（ａ）のＧ−Ｇ線断面図である。図１１（ａ）、（ｂ）に示すように、第１メッシュ電極４ａを構成する複数の線状の電極が、Ｘ方向にストライプ状に並列に配列され、第２メッシュ電極４ｂを構成する複数の線状の電極が、Ｘ方向に直交するＹ方向に梯子状に延設されるように配置されていても良い。このとき、図１１（ｂ）に示すように、第１メッシュ電極４ａおよび第２メッシュ電極４ｂは、ブラックマトリクス３と平面視上重なるように配置される。
なお、図１１（ａ）では、図を簡略化するために、透明基材、ブラックマトリクス、絶縁層を省略している。
【００６０】
（２）構成
本発明におけるセンサ電極は、上述のような態様に応じて様々な形状に設計することができ、特に限定されない。例えば、センサ電極を構成する線状の電極が、本発明のセンサ電極基材の長さ方向に対して、図２、３等に示されるように、斜め方向（ダイヤ方向）に延伸していても良く、図１０、１１に示されるように、縦方向および横方向に延伸していても良い。
【００６１】
本発明におけるセンサ電極の線幅は、センサ電極を有機ＥＬ表示装置における非画素領域に配置して、表示領域からセンサ電極が視認されることを抑制することができるとともに、センサ電極の低抵抗を図ることができる程度であることが好ましい。このようなセンサ電極の線幅は、上述のような態様に応じて適宜調整することができるが、例えば、１μｍ〜１５μｍの範囲内であることが好ましく、中でも２μｍ〜７μｍの範囲内であることが好ましく、特に２μｍ〜５μｍの範囲内であることが好ましい。本発明におけるセンサ電極の線幅が上述のような範囲内であることにより、センサ電極をブラックマトリクス上に配置して、センサ電極による透明性の低下を抑制することが可能となる。また、センサ電極の線幅が上述した範囲を満たすことにより、センサ電極の低抵抗化を図ることが可能となる。
なお、ここでの線幅とは、センサ電極の延伸方向に直交する方向の幅をいう。したがって、例えば、図１２における符号Ｗで示す距離をいう。
【００６２】
本発明におけるセンサ電極の厚みは、上述したセンサ電極の態様等に応じて適宜調整することができるが、例えば、０．１μｍ〜０．５μｍの範囲内であることが好ましく、中でも０．１５μｍ〜０．３５μｍの範囲内であることが好ましく、特に０．２μｍ〜０．３μｍの範囲内であることが好ましい。センサ電極の厚みが上記範囲内であることにより、本発明のセンサ電極基材に所定のフレキシブル性を付与することが可能となる。具体的には、本発明のセンサ電極基材を屈曲させた際に、センサ電極が透明基材から剥がれたり、または割れが発生することを抑制することができる。
【００６３】
本発明におけるセンサ電極のピッチは、センサ電極をブラックマトリクス上に配置して、表示領域からセンサ電極が視認されることを抑制することができる程度であることが好ましい。したがって、本発明におけるセンサ電極のピッチは、本発明のセンサ電極基材を用いる有機ＥＬ表示装置の画素の大きさ等に応じて適宜調整することができる。例えば、図２（ａ）や図３（ａ）に示すように、第１メッシュ電極４ａを構成する線状の電極および第２メッシュ電極４ｂを構成する線状の電極の組み合わせで囲われる領域が、１つの画素領域となる設計の場合、第１メッシュ電極および第２メッシュ電極のピッチは、例えば、３０μｍ〜５００μｍの範囲内であることが好ましく、中でも３０μｍ〜９０μｍの範囲内であることが好ましく、特に６０μｍ〜９０μｍの範囲内であることが好ましい。また、例えば、図４（ａ）、図５および図８（ａ）に示すように、第１メッシュ電極４ａを構成する線状の電極および第２メッシュ電極４ｂを構成する線状の電極で囲われる領域が、１つの画素領域となる設計の場合、第１メッシュ電極および第２メッシュ電極のピッチは、例えば、３０μｍ〜５００μｍの範囲内であることが好ましく、中でも３０μｍ〜１５０μｍの範囲内であることが好ましく、特に３０μｍ〜９０μｍの範囲内であることが好ましい。本発明におけるセンサ電極のピッチが上記範囲内であることにより、センサ電極をブラックマトリクス上に配置して、センサ電極による透明性の低下を抑制することが可能となる。また、センサ電極のピッチが上述した範囲を満たすことにより、センサ電極の低抵抗化を図ることが可能となる。
なお、ここでのピッチとは、隣接するセンサ電極の中心線の間の距離をいう。したがって、例えば、図１２における符号Ｐで示す距離をいう。
【００６４】
本発明においては、センサ電極をメッシュ状とすることにより、ＩＴＯ等の透明導電膜に比べてシート抵抗を低くすることができる。具体的なセンサ電極のシート抵抗は、上述のようなセンサ電極の態様に応じて適宜変化するため、特に限定されないが、例えば、０．５Ω／□〜１０Ω／□の範囲内であることが好ましく、中でも０．５Ω／□〜７Ω／□の範囲内であることが好ましく、特に、０．５Ω／□〜３Ω／□の範囲内であることが好ましい。センサ電極のシート抵抗が上記範囲内であることにより、タッチパネルの位置検知の感度を向上させることが可能となる。
【００６５】
本発明におけるセンサ電極に用いられる材料としては、例えば、銀、金、クロム、プラチナ、アルミニウムの単体、あるいはこれらのいずれかを主体とする合金等が挙げられる。金属合金としては、ＡＰＣと称される銀、パラジウム、銅の合金が汎用される。また、金属の複合体としては、ＭＡＭと称されるモリブデン、アルミニウム、モリブデンの３層構造体等も適用可能である。さらに、例えばＰＥＤＯＴ等の樹脂材料に上記金属を加えた導電性高分子を用いることもできる。
【００６６】
また、本発明におけるセンサ電極は、後述するブラックマトリクスとしての機能を兼ね備えていても良い。具体的には、図１（ａ）に示すように、透明基材２上にセンサ電極４が配置され、ブラックマトリクスを有しない場合には、センサ電極がブラックマトリクスとしての機能、すなわち、所定の遮光性を有することが好ましい。センサ電極に所定の遮光性を付与することが可能な材料としては、例えば、銀、金、クロム、プラチナ、アルミニウムの単体、あるいはこれらのいずれかを主体とする合金等が挙げられる。金属合金としては、ＡＰＣと称される銀、パラジウム、銅の合金等が挙げられる。また、本発明におけるセンサ電極は、センサ電極基材における透明基材側の面、またはセンサ電極基材における透明基材とは反対側の面を黒化処理しても良い。黒化処理したセンサ電極の表面において、所望の遮光性を得ることができ、さらに光の反射を抑制することが可能となる。
なお、上述した所定の遮光性については、後述するブラックマトリクスの項に記載する内容と同様とすることができるため、ここでの記載は省略する。
【００６７】
センサ電極の形成方法としては、例えば、メッシュ状の第１メッシュ電極および第２メッシュ電極を形成することが可能な方法であれば特に限定されない。具体的には、センサ電極を構成する導電性材料を用いて導電層を形成し、次に、導電層上にレジストパターンを形成して、当該レジストパターンをマスクとして導電層をエッチングする方法が挙げられる。このとき、導電層を形成する方法には、例えば、真空蒸着法、スパッタリング法、ＣＶＤ法、イオンプレーティング法等のドライプロセスを用いることができる。
【００６８】
（３）ダミーメッシュ電極
本発明においては、センサ電極が、第１メッシュ電極および第２メッシュ電極の他に、必要に応じてダミーメッシュ電極を有していても良い。
【００６９】
本発明におけるダミーメッシュ電極は、通常、センサ電極と電気的に接続されていない。
【００７０】
例えば図５、図８（ａ）に示すように、ダミーメッシュ電極４ｃは、第１メッシュ電極４ａおよび第２メッシュ電極４ｂの少なくともいずれかが形成されていない領域に配置することができる。ダミーメッシュ電極が配置されることにより、センサ電極が配置された領域とそうでない領域とでの可視光の反射率差や透過率差を最小限に抑え、両領域での視認性の差異を抑えることができる。また、ダミーメッシュ電極を設けることにより、第１メッシュ電極および第２メッシュ電極の間の初期容量値の調整幅を向上することができる。
【００７１】
ダミーメッシュ電極の構成等については、上述した第１メッシュ電極および第２メッシュ電極と同様とすることができるため、ここでの説明は省略する。
【００７２】
２．ブラックマトリクス
本発明におけるブラックマトリクスは、後述する透明基材上に配置されることができ、複数の開口部を有する部材である。
【００７３】
本発明におけるブラックマトリクスは、本発明のセンサ電極基材を有機ＥＬ表示装置に用いる際に、画素領域が配置された表示領域以外の非表示領域に相当する領域に配置される部材である。また、本発明におけるブラックマトリクス上には、上述したセンサ電極が配置されるため、ブラックマトリクスは所定の遮光性を有し、センサ電極を隠すことができることが好ましい。
【００７４】
ここで、所定の遮光性とは、本発明のセンサ電極基材を有機ＥＬ表示装置に用いた際に、装置の外観からブラックマトリクス上に配置されたセンサ電極を隠すことができる程度の遮光性であることが好ましい。具体的には、ブラックマトリクスの厚みが１．５μｍのときの光学濃度が、４以上であることが好ましく、中でも４．５以上であることが好ましく、特に７．５以上であることが好ましい。なお、ここでの光学濃度とはＯｐｔｉｃａｌ  Ｄｅｎｓｉｔｙ（ＯＤ）値をいう。また、光学濃度にて表わされるＯＤ値は、垂直入射した入射光の強度Ｉｉｎと垂直に透過した透過光の強度Ｉｏｕｔとを用いた「ｌｏｇ１０（Ｉｉｎ／Ｉｏｕｔ）」によって特定される。本発明においては、大塚電子株式会社製  顕微分光光度計ＬＣＦ７０００を用いて基本レファレンスおよびＯＤレファレンスから分光透過率を測定し、得られた測定値を光学濃度に換算することにより算出した。  また、本発明におけるブラックマトリクスの上記ＯＤ値は、ブラックマトリクスの構成材料の組成を調整することにより達成することができる。
【００７５】
本発明におけるブラックマトリクスの線幅は、上述したセンサ電極を配置することができる程度であれば良く、本発明のセンサ電極基材が用いられる有機ＥＬ表示装置の画素領域の大きさ等に応じて適宜調整される。例えば、ブラックマトリクスの線幅が、センサ電極の線幅と同等またはそれ以上であることが好ましい。具体的には、５μｍ〜１５μｍの範囲内であることが好ましく、中でも５μｍ〜１２μｍの範囲内であることが好ましく、特に５μｍ〜９μｍの範囲内であることが好ましい。ブラックマトリクスの線幅が上記範囲内であることにより、センサ電極をブラックマトリクス上に良好に配置することができ、また、その際のセンサ電極も所定の線幅とすることが可能となる。
【００７６】
本発明におけるブラックマトリクスの厚みは、上述した遮光性を実現することができる程度であれば良く、特に限定されない。具体的には、ブラックマトリクスの厚みは、０．８μｍ〜３μｍの範囲内であることが好ましく、中でも１μｍ〜２μｍの範囲内であることが好ましく、特に１μｍ〜１．５μｍの範囲内であることが好ましい。ブラックマトリクスの厚みが上記範囲内であることにより、ブラックマトリクスが所定の遮光性を実現することができ、センサ電極を十分に隠すことが可能となる。
【００７７】
本発明におけるブラックマトリクスは、複数の開口部を有する。開口部の形状は、本発明のセンサ電極基材が用いられる有機ＥＬ表示装置の画素領域の形状等に応じて適宜調整することができるが、例えば、三角形状、四角形状、菱形形状、六角形状等が挙げられる。なお、開口部の具体的な大きさやピッチ等については、本発明のセンサ電極基材が用いられる有機ＥＬ表示装置の画素領域の形状等に応じて適宜調整されるため、ここでの記載は省略する。
【００７８】
本発明におけるブラックマトリクスは、複数の開口部を有するが、その開口率が、３０％以上であることが好ましく、中でも４０％以上であることが好ましく、特に５０％以上であることが好ましい。ここで、ブラックマトリクスの開口率とは、ブラックマトリクスの形成面積から、遮光材料により形成されたブラックマトリクス部分を除いた領域が全体に占める割合をいう。
【００７９】
本発明におけるブラックマトリクスは、所定の遮光性を実現するために、黒色を呈することが好ましい。すなわち、ブラックマトリクスは、黒色を呈する顔料を有することが好ましい。ここでいう「黒色」とは、色味のない黒色以外に、例えば、青色がかった黒色、緑色がかった黒色、赤色がかった黒色、茶色がかった黒色、橙色がかった黒色、または白色がかった黒色等の色でも良い。このような黒色顔料としては、例えば、チタンブラック（低次酸化チタン、酸窒化チタン等）、カーボンブラック等が挙げられる。チタンブラックは、カーボンブラックに比べて同濃度、同膜厚で、可視光に対するより高い遮光性が得られる。したがって、チタンブラックを用いた場合には、カーボンブラックを用いた場合に比べて、同じ遮光性であればブラックマトリクスの厚みを薄くすることができる。ここで、本発明においては、ブラックマトリクスと接触するようにセンサ配線を配置することができるため、黒色顔料が導電性を有する場合には、当該黒色顔料を後述するような絶縁性の樹脂バインダ中に分散させ、樹脂バインダで被覆した被覆顔料として用いることが好ましい。なお、本発明における黒色顔料には、１種の黒色顔料のみを用いても良く、２種以上の黒色顔料を混合して用いても良い。また、黒色顔料に、その他の有色顔料を混合して用いても良い。
【００８０】
また、本発明におけるブラックマトリクスの主成分には、上述した黒色顔料を分散することが可能な樹脂バインダを用いることができる。樹脂バインダは、感光性樹脂を含有することが好ましい。感光性樹脂としては、例えば、アクリル系樹脂、エポキシ系樹脂、ポリイミド系樹脂、ポリ桂皮酸ビニル系樹脂、環化ゴム、等の反応性ビニル基等の光反応性基を有する感光性樹脂を１種以上用いることができる。アクリル系樹脂では、例えば、アルカリ可溶性樹脂、多官能アクリレート系モノマー、光重合開始剤、その他添加剤等からなる感光性樹脂を樹脂バインダの樹脂成分として用いることができる。
【００８１】
アルカリ可溶性樹脂には、ベンジルメタクリレート−メタクリル酸共重合体等のメタクリル酸エステル共重合体、ビスフェノールフルオレン構造を有するエポキシアクリレート等のカルド樹脂、等を１種以上用いることができる。多官能アクリレート系モノマーには、例えば、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等を１種以上用いることができる。
なお、本発明において、（メタ）アクリレートとは、メタクリレート、または、アクリレートのいずれかであることを意味する。
【００８２】
光重合開始剤には、アルキルフェノン系、オキシムエステル系、トリアジン系、チタネート系等、公知のものを１種以上用いることができる。例えば、アルキルフェノン系では、２−メチル−１［４−（メチルチオ）フェニル］−２−モリフォリノプロパン−１−オン（イルガキュア（登録商標）９０７、ＢＡＳＦジャパン株式会社製）、２−ベンジル−２−ジメチルアミノ−１−（４−モノフォリオフェニル）ブタノン−１（イルガキュア（登録商標）３６９、ＢＡＳＦジャパン株式会社製）、オキシムエステル系では、１，２−オクタンジオン，１−［４−（フェニルチオ）フェニル］−，２−（Ｏ−ベンゾイルオキシム）（イルガキュア（登録商標）ＯＸＥ０１、ＢＡＳＦジャパン株式会社製）等を用いることができる。
【００８３】
本発明における樹脂バインダは、上述した材料の他にも、光増感剤、分散剤、界面活性剤、安定剤、レベリング剤などの、公知の各種添加剤を含むことができる。
【００８４】
ブラックマトリクスの形成方法は、一般的な表示装置に用いられるブラックマトリクスと同様の形成方法を用いることができる。例えば、スパッタリング法、真空蒸着法、塗布法等によりブラックマトリクス層を形成し、フォトリソグラフィ法によりブラックマトリクス層をパターニングする方法が挙げられる。
【００８５】
３．透明基材
本発明における透明基材は、ブラックマトリクスおよびセンサ電極を支持する部材である。
【００８６】
ここで、「透明」とは、特段の断りがない限り、本発明のセンサ電極基材が用いられた有機ＥＬ表示装置の操作者が、操作面からの視認を妨げない程度に透明であることをいう。したがって、「透明」は、無色透明、および視認性を妨げない程度の有色透明を含み、また厳密が透過率で定義されず、本発明のセンサ電極基材の用途等に応じて透過性の度合いを決定することができる。
【００８７】
本発明における透明基材は、フレキシブル性を有する部材であることが好ましい。ここで、フレキシブル性を有するとは、本発明により得られる積層体に対して耐屈曲性試験を行うことにより確認することができる。例えば、ユアサシステム株式会社製  ＤＬＤＭＬＨ−ＦＵ  面状体Ｕ字繰り返し試験機を用いて下記条件により測定することにより確認することができる。
・測定条件
曲げ半径Ｒ＝３ｍｍ、回転数１２０ｒｐｍ、ストローク２０ｍｍ
・判定条件
２０万回の耐屈曲性試験を実施した後のセンサ電極の抵抗値変化が２０％以下であり、センサ電極の剥がれや割れ等の外観上の異常がない場合に、合格の判定とする。
【００８８】
本発明における透明基材を構成する材料としては、所定のフレキシブル性を付与することができる材料であることが好ましい。例えば、ポリイミド（ＰＩ）、ポリエチレンテレフタレート（ＰＥＴ）、ポリエチレンナフタレート（ＰＥＮ）等のポリエステル樹脂、またはアクリル樹脂、ポリカーボネート樹脂、シクロオレフィン樹脂等が挙げられる。また、厚みによってはガラス基材を用いることもできる。本発明においては、屈曲性や耐熱性等の観点から、ＰＩを用いることが好ましい。
【００８９】
本発明における透明基材の厚みは、所定のフレキシブル性を有し、ブラックマトリクスおよびセンサ電極を支持することができる程度の自己支持性を有する厚みであることが好ましい。透明基材の具体的な厚みは、５μｍ〜１００μｍの範囲内であることが好ましく、中でも５μｍ〜５０μｍの範囲内であることが好ましく、特に５μｍ〜２０μｍの範囲内であることが好ましい。
【００９０】
本発明における透明基材は、市販のものを準備しても良いが、例えば、ガラス基材上に、所定の樹脂組成物を塗布して所望の透明基材を形成しても良い。樹脂組成物を、ガラス基材上に塗布する塗布法としては、例えば、スピンコート法、ロールコート法、ダイコート法、スプレーコート法、ビードコート法等の公知の方法が挙げられる。
【００９１】
４．絶縁層
本発明における絶縁層は、例えば、図１の符号５で示すように、第１メッシュ電極４ａおよび第２メッシュ電極４ｂを電気的に絶縁する際に用いることができる。
【００９２】
本発明における絶縁層の材料は、所望の絶縁性を有する材料であることが好ましく、タッチパネルに一般的に用いられるものを使用することができる。具体的には、ポリイミド樹脂、アクリル樹脂、カルド樹脂、エポキシ樹脂、メラミン樹脂等の絶縁性樹脂材料等や、ガラス等の無機材料等が挙げられる。本発明においては、センサ電極基材にフレキシブル性を付与するという観点から、絶縁性樹脂材料であることが好ましい。なお、絶縁層に用いられる材料は、１種を単独で用いても良く、２種以上を組み合わせて用いても良い。また、絶縁層の層構造は、１層であっても良く、２層以上を含む多層であっても良い。
【００９３】
絶縁層の厚みは、例えば、第１メッシュ電極および第２メッシュ電極間を電気的に絶縁し、短絡を防止することができる程度の厚みであることが好ましく、第１メッシュ電極および第２メッシュ電極の電極間距離を考慮した上で適宜調整することができる。例えば、０．５μｍ〜３μｍの範囲内とすることができる。
【００９４】
本発明における絶縁層の形成方法は、一般的な表示装置に用いられる絶縁層の形成方法と同様とすることができる。例えば、絶縁層を構成する構成材料を用いて層を形成し、次に、フォトリソグラフィ法により当該層をパターニングすることにより、所定の領域に絶縁層を形成することができる。
【００９５】
５．加飾部
本発明においては、センサ電極が配置された表示領域の外周となる非表示領域に、加飾部を有することが好ましい。中でも、透明基材上にブラックマトリクスを有し、ブラックマトリクス上にセンサ電極を有するセンサ電極基材において、ブラックマトリクスと同一平面上であって、ブラックマトリクスおよびセンサ電極が配置された表示領域の外周となる非表示領域に、ブラックマトリクスと同一材料により構成された加飾部を有することが好ましい。
【００９６】
本発明においては、加飾部を有することにより、非表示領域に配置された配線や制御回路等を隠すことができる。したがって、本発明のセンサ電極基材を有機ＥＬ表示装置に用いた際に、配線や制御回路等が見えることによる外観の損失を抑制することができる。
【００９７】
また、本発明における加飾部が、ブラックマトリクスと同一平面上に配置され、同一材料により構成されることにより、例えば、前面板保護基材に加飾部を設ける必要がなくなる。したがって、有機ＥＬ表示装置を作成した際に、前面板保護基材の厚みに相当する分だけ有機ＥＬ表示装置の厚みを薄くすることができ、よりフレキシブル性に優れた有機ＥＬ表示装置とすることが可能となる。また、加飾部およびブラックマトリクスが、同一平面上に配置され、同一材料により構成されることにより、加飾部およびブラックマトリクスを同時に形成することができ、少ない製造工程数によりセンサ電極基材を得ることが可能となる。
以下、本発明における加飾部について、図を参照しながら説明する。
【００９８】
本発明においては、図１３に示すように、本発明のセンサ電極基材１において、ブラックマトリクス３と同一平面上であって、ブラックマトリクス３およびセンサ電極４が配置された表示領域の外周となる非表示領域に、加飾部６を有しても良い。
【００９９】
本発明においては、加飾部がブラックマトリクスと同一の材料であることが好ましい。ブラックマトリクスを形成する際に、同時に加飾部を形成することができるため、加飾部を形成するための形成工程を別途設ける必要がなくなるからである。すなわち、工程数を増やすことなく、加飾部を形成することが可能となる。
また、加飾部は、ブラックマトリクスと同様に、フォトリソグラフィ法により形成することができるといった点からも、加飾部とブラックマトリクスとを同時に形成することが好ましい。
なお、加飾部の具体的な材料、厚みおよび形成方法については、上述したブラックマトリクスと同様とすることができるため、ここでの記載は省略する。
【０１００】
また、表示装置の加飾部として白色を呈する白色加飾部を用いる場合、白色加飾部の遮光性を向上させるために、本発明のセンサ電極基材を表示装置に用いた際に表示パネル側となる白色加飾部の背面に、黒色を呈する黒色加飾部を設けることが好ましい。したがって、本発明のセンサ電極基材を用いた表示装置に、白色加飾部を用いる場合には、本発明のセンサ電極基材に設けた加飾部を、白色加飾部の背面に配置される黒色加飾部として用いることができる。
【０１０１】
６．着色部
本発明においては、センサ電極により画素領域が画定され、上記画素領域に、着色部を有していても良い。すなわち、着色部は、ブラックマトリクスの開口部に配置されたパターン状の部材である。具体的には、図１４に示すように、ブラックマトリクス３の開口部に着色部８（ここでは、赤色着色部８Ｒ、緑色着色部８Ｇ、青色着色部８Ｂ）を有していても良い。このように、着色部を有することにより、本発明のセンサ電極基材に、カラーフィルタとしての機能を付与することが可能となる。
【０１０２】
本発明においては、着色部が開口部毎に塗り分けされていることが好ましい。着色部を開口部毎に塗り分けする場合には、通常、開口部を画定するブラックマトリクスの幅が比較的広めに設計されることが傾向にある。そのため、本発明においては、ブラックマトリクスの幅が広がるに伴い、ブラックマトリクス上に配置されるセンサ電極の線幅も十分に確保することが可能となり、センサ電極の低抵抗化をより効果的に図ることが可能となる。
【０１０３】
着色部は、例えば赤、緑、青の３色の着色部を有する。着色部の色としては、赤、緑、青の３色を少なくとも含むものであればよく、例えば、赤、緑、青の３色、赤、緑、青、黄の４色、または、赤、緑、青、黄、シアンの５色等とすることもできる。
【０１０４】
着色部としては、例えば色材をバインダ樹脂中に分散させたものを用いることができる。
着色部に用いられる色材としては、各色の顔料や染料等が挙げられる。例えば、赤色着色層に用いられる色材としては、例えば、ペリレン系顔料、レーキ顔料、アゾ系顔料、キナクリドン系顔料、アントラキノン系顔料、アントラセン系顔料、イソインドリン系顔料等が挙げられる。また、緑色着色層に用いられる色材としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。さらに、青色着色層に用いられる色材としては、例えば、銅フタロシアニン系顔料、アントラキノン系顔料、インダンスレン系顔料、インドフェノール系顔料、シアニン系顔料、ジオキサジン系顔料等が挙げられる。これらの顔料や染料は単独で用いてもよく２種以上を混合して用いてもよい。着色部に用いられるバインダ樹脂としては、例えば、アクリレート系、メタクリレート系、ポリ桂皮酸ビニル系、もしくは環化ゴム系等の反応性ビニル基を有する感光性樹脂が挙げられる。
【０１０５】
着色部には、上述した材料の他にも、必要に応じて、光重合開始剤、増感剤、塗布性改良剤、現像改良剤、架橋剤、重合禁止剤、可塑剤、難燃剤等を含有させることができる。
【０１０６】
また、着色部が形成されている同一平面上には、上述した色材を含有せず、バインダ樹脂を含有する白色層が形成されていてもよい。
【０１０７】
着色部の配列は特に限定されるものではなく、ストライプ型、モザイク型、トライアングル型、４画素配置型等の公知の配列とすることができる。
【０１０８】
着色部の厚さとしては、カラーフィルタにおける一般的な着色部の膜厚と同様とすることができ、例えば１μｍ〜５μｍの範囲内で設定することができる。
【０１０９】
ブラックマトリクスの開口部に、パターン状の着色部を形成する形成方法としては、例えば、フォトリソグラフィ法、インクジェット法、印刷法等が挙げられる。
【０１１０】
７．円偏光板
本発明においては、透明基材に円偏光板有し、円偏光板上に、センサ電極を有していても良い。
【０１１１】
本発明においては、例えば、図１５に示すように、透明基材２上の表示領域に円偏光板９が配置され、円偏光板９上にブラックマトリクス３およびセンサ電極４が配置されていても良い。円偏光板を有することにより、本発明のセンサ電極基材への外光の反射を抑制することが可能となる。
【０１１２】
本発明における円偏光板は、一般的な表示装置に用いられるものと同様とすることができ、例えば、偏光板、各種位相差層を有していても良い。
【０１１３】
円偏光板に用いられる偏光板は、例えば、透過光を直交する二つの偏光成分に分解し、一方の方向（透過軸と平行な方向）の偏光成分を透過させ、上記一方の方向に直交する他方の方向（吸収軸と平行な方向）の偏光成分を吸収することができる。このような偏光板は、ポリビニルアルコール（ＰＶＡ）によるフィルム材に、ヨウ素化合物分子を吸着配向させることにより形成することができる。
【０１１４】
また、位相差層としては、例えば、面内レターデーション値がλ／４に相当する位相差層、面内レターデーション値がλ／２に相当する位相差層、および正のＣプレート（＋Ｃプレート）を含む位相差層等が挙げられる。位相差層の組み合わせや構成については、本発明のセンサ電極基材の用途等に応じて適宜調整することができ、特に限定されない。
【０１１５】
本発明に用いられる円偏光板は、上述のような偏光板および位相差層を組み合わせて用いることができる。具体的な組み合わせについては、本発明のセンサ電極基材の用途等に応じて適宜調整することができ、特に限定されないが、例えば、直線偏光板と面内レターデーション値がλ／４に相当する位相差層との組み合わせが挙げられる。
【０１１６】
８．その他の部材
本発明のセンサ電極基材は、上述したセンサ電極、ブラックマトリクスおよび透明基材を有していれば良く、必要に応じてその他の部材を有していても良い。その他の部材としては、例えば、保護層、粘着層、反射防止層等が挙げられる。
【０１１７】
（１）保護層
本発明における保護層は、本発明のセンサ電極基材の表面に、ブラックマトリクスやセンサ電極を覆うように配置することができる。保護層が配置されていることにより、本発明のセンサ電極基材の保護機能を高めることが可能となる。
【０１１８】
本発明における保護層を構成する材料には、所定の光透過性を有し、また所定のフレキシブル性を有する材料を用いることが好ましい。例えば、一般的な保護層に用いることができる樹脂材料が挙げられ、中でも耐熱性や耐擦傷性を有する樹脂材料であることが好ましい。具体的には、エポキシ樹脂、アクリル樹脂、ポリイミド樹脂等が挙げられる。
【０１１９】
保護層の厚みは、例えば保護層としての保護機能を発揮することができる程度の厚みであることが好ましく、中でも本発明のセンサ電極基材がフレキシブル性を有する場合には、フレキシブル性を損なわない程度の厚みであることが好ましい。例えば、１μｍ〜５μｍの範囲内であることが好ましい。
【０１２０】
（２）粘着層
本発明における粘着層は、各部材を積層する際に、部材間の接着性を高めるために用いることができる。例えば、本発明のセンサ電極基材の表面に配置することができる。本発明のセンサ電極基材を、有機ＥＬ表示装置に用いられる有機ＥＬパネルと貼り合わせる際に、好適である。
【０１２１】
本発明における粘着層を構成する材料には、所定の光透過性を有することが好ましい。中でも、所定のフレキシブル性を有することが好ましい。このような粘着層の材料としては、例えば、光硬化性樹脂や熱硬化性樹脂等の一般的な材料が挙げられる。
【０１２２】
粘着層の厚みは、粘着層としての粘着力を発揮することができる程度の厚みであることが好ましく、粘着層の材料等に応じて適宜調整することができる。なお、具体的な粘着層の厚みについては、一般的な表示装置に用いられる粘着層と同様とすることができるため、ここでの記載は省略する。
【０１２３】
（３）反射防止層
本発明における反射防止層は、本発明のセンサ電極基材における透明基材側の表面に配置することができる。反射防止層が配置されていることにより、本発明のセンサ電極基材表面への外光の反射を抑制することができ、視認性を高めることが可能となる。
【０１２４】
本発明の反射防止層を構成する材料には、所定の光透過性を有し、また所定のフレキシブル性を有する材料を用いることが好ましい。具体的には、一般的な反射防止層に用いることができる材料が挙げられるため、ここでの記載は省略する。
【０１２５】
反射防止層の厚みは、例えば反射防止層としての反射防止機能を発揮することができ、また本発明の前面板保護基材が有するフレキシブル性を損なわない程度の厚みであることが好ましい。なお、具体的な反射防止層の厚みについては、反射防止層を構成する材料等に応じて適宜調整することができるため、ここでの記載は省略する。
【０１２６】
９．センサ電極基材の製造方法
本発明のセンサ電極基材の製造方法は、所望のセンサ電極基材を得ることができる方法であれば特に限定されない。
以下、図を参照しながら説明する。
【０１２７】
図１６（ａ）〜（ｆ）は、本発明のセンサ電極基材１の製造方法の一例を示す概略工程図である。図１６（ａ）に示すように、キャリアガラス基材１０を準備し、次に図１６（ｂ）に示すように、キャリアガラス基材１０上に、塗布法により透明基材２を塗布して形成し、次に、図１６（ｃ）に示すように、透明基材２上に、フォトリソグラフィ法により複数の開口部を有するブラックマトリクス３を形成し、次いで、第１メッシュ電極の材料から構成された導電層を形成し、レジストパターンをマスクとして当該導電層をエッチングすることにより、図１６（ｄ）に示すように、ブラックマトリクス３上に第１メッシュ電極４ａを形成し、続いて、図１６（ｅ）に示すように、第１メッシュ電極４ａを覆うように絶縁層５を形成して、最後に、第１メッシュ電極と同様の方法により第２メッシュ電極４ｂを形成して、図１６（ｆ）に示すように、センサ電極基材１を形成することができる。
【０１２８】
本発明においては、図１６に示すように、キャリアガラス基材１０上に、各部材を積層していくことによりセンサ電極基材を形成することができるが、その他の方法として、予め透明基材を準備し、キャリアガラス基材１０上に透明基材を配置しても良い。なお、後者である場合には、キャリアガラス基材および透明基材の間に粘着層を用いることができる。ここで用いられる粘着層は、初期粘着力および再剥離性の観点からアクリル系粘着剤を用いることが好ましい。なお、アクリル系粘着剤の組成については、特に限定されない。
【０１２９】
本発明においては、センサ電極基材がキャリアガラス基材上に形成されることにより、センサ電極基材が、製造過程における加熱により収縮してしまう等の不具合を抑制することができる。したがって、センサ電極基材を有機ＥＬパネルと貼り合わせて有機ＥＬ表示装置を形成する際に、精度の高い位置合わせを行うことが可能となる。
【０１３０】
なお、各部材の詳しい形成方法については、各部材についての項で説明した内容と同様であるため、ここでの説明は省略する。
【０１３１】
Ｂ．タッチパネル一体型有機ＥＬ表示装置
本発明のタッチパネル一体型有機ＥＬ表示装置は、上述したセンサ電極基材と、有機ＥＬパネルとを有することを特徴とする装置である。
なお、以下、タッチパネル一体型有機ＥＬ表示装置を有機ＥＬ表示装置と略して説明する場合がある。
【０１３２】
図１７は、本発明の有機ＥＬ表示装置の一例を示す概略平面図である。図１７に示すように、本発明においては、センサ電極基材１および有機ＥＬパネル３０を有していれば良い。なお、図１７は、センサ電極基材１の表面に、加飾部を有する前面板保護基材２０を有する例を示している。
【０１３３】
なお、本発明の有機ＥＬ表示装置の具体的な構成については、例えば、特開２０１５−０５２７１８号公報と同様とすることができるため、ここでの詳しい記載は省略する。
【０１３４】
本発明によれば、タッチパネル一体型有機ＥＬ表示装置用センサ電極基材が、センサ電極が第１メッシュ電極および第２メッシュ電極を有し、第１メッシュ電極および第２メッシュ電極がメッシュ状であることにより、センサ電極を有機ＥＬ表示装置の非画素領域に配置することが可能となり、センサ電極による透明性の低下を抑制することが可能なタッチパネル一体型有機ＥＬ表示装置とすることができる。また、タッチパネル一体型有機ＥＬ表示装置用センサ電極基材が有機ＥＬ表示装置に用いられる部材であることから、非画素領域を比較的広く形成することができるため、非画素領域に配置されるセンサ電極の線幅を十分に確保することができ、低抵抗化を図ることができ、高性能なタッチパネル一体型有機ＥＬ表示装置とすることができる。
なお、具体的な効果については、上記「Ａ．センサ電極基材」の項に記載した内容と同様とすることができるため、ここでの記載は省略する。
【０１３５】
以下、本発明の有機ＥＬ表示装置を構成するセンサ電極基材および有機ＥＬパネルについて説明する。
【０１３６】
１．センサ電極基材
本発明におけるセンサ電極基材は、透明基材と、透明基材上に配置されたセンサ電極とを有し、センサ電極は、メッシュ状の第１メッシュ電極および第２メッシュ電極を有する部材である。
なお、センサ電極基材については、上記「Ａ．センサ電極基材」の項に記載した内容と同様とすることができるため、ここでの記載は省略する。
【０１３７】
２．有機ＥＬパネル
本発明における有機ＥＬパネルは、有機ＥＬ表示装置に用いられる部材であり、画像表示を行うための部材である。
【０１３８】
本発明における有機ＥＬパネルは、例えば、透明基材上に複数の有機ＥＬ画素がパターン状に配置された構成を有する。本発明に用いられる有機ＥＬパネルは、一般的な有機ＥＬ表示装置に用いられる有機ＥＬパネルと同様とすることができるため、ここでの記載は省略する。
【０１３９】
３．用途
本発明の有機ＥＬ表示装置の用途としては、例えば、スマートフォン等の携帯電話、タブレットＰＣ等の携帯情報端末、パーソナルコンピュータ、カーナビゲーション、デジタルカメラ、電子手帳、ゲーム機器、自動販売機、ＡＴＭ端末、ＰＯＳ端末等が挙げられる。
【０１４０】
Ｃ．タッチパネル一体型有機ＥＬ表示装置の製造方法
本発明のタッチパネル一体型有機ＥＬ表示装置の製造方法は、第１のガラス基材上に貼着され、第１の透明基材上にセンサ電極が形成されたタッチパネル一体型有機ＥＬ表示装置用センサ電極基材を準備するタッチパネル一体型有機ＥＬ表示装置用センサ電極基材準備工程と、第２のガラス基材上に貼着された有機ＥＬ基材を準備する有機ＥＬ基材準備工程と、タッチパネル一体型有機ＥＬ表示装置用センサ電極基材、および前記有機ＥＬ基材を貼り合わせる貼合工程とを有し、タッチパネル一体型有機ＥＬ表示装置用センサ電極基材が、上述したタッチパネル一体型有機ＥＬ表示装置用センサ電極基材であることを特徴とする製造方法である。
なお、以下、タッチパネル一体型有機ＥＬ表示装置の製造方法を、有機ＥＬ表示装置の製造方法と略して説明する場合がある。
【０１４１】
本発明の有機ＥＬ表示装置の製造方法について、図を参照しながら説明する。本発明の有機ＥＬ表示装置の製造方法は、例えば、図１８（ａ）に示すように、第１のキャリアガラス基材１０上に、センサ電極基材１を準備するセンサ電極基材準備工程を有する。センサ電極基材１は、第１の透明基材２上に、複数の開口部を有するブラックマトリクス３と、ブラックマトリクス３上に配置された第１メッシュ電極４ａと、第１メッシュ電極４ａを覆うように配置された絶縁層５と、絶縁層５上に配置された第２メッシュ電極４ｂと、第２メッシュ電極４ｂを覆うように配置された保護層１１とを有する。また、図１８（ａ）では、センサ電極基材１が、着色部８および保護層１５を備えたカラーフィルタを有する例について示している。次に、図１８（ｂ）に示すように、第２のキャリアガラス基材１０上に、有機ＥＬ基材４０を準備する有機ＥＬ基材準備工程を有する。有機ＥＬ基材４０は、第２の透明基材２、有機ＥＬ画素１３（ここでは、赤色画素１３Ｒ、緑色画素１３Ｇ、青色画素１３Ｂ）、符号１２で示される薄膜トランジスタ（ＴＦＴ）ならびにＴＦＴに接続される信号配線、および保護層１４を有する。次いで、図１８（ｃ）に示すように、センサ電極基材１および有機ＥＬ基材４０を貼り合わせる貼合工程を有する。最後に、図示はしないが、第１のキャリアガラス基材１０および第２のキャリアガラス基材１０を剥離することにより、有機ＥＬ表示装置を得ることができる。なお、センサ電極基材１および有機ＥＬ基材４０の間には、粘着層を用いても良い。
【０１４２】
ここで、「貼着」とは、塗布法を用いて積層した状態や粘着層等を介して積層された状態を含む。したがって、「第１のガラス基材上に貼着され、第１の透明基材上にセンサ電極が形成されたタッチパネル一体型有機ＥＬ表示装置用センサ電極基材」とは、第１のガラス基材上に、塗布法を用いて第１の透明基材を積層し、当該第１の透明基材上にセンサ電極を形成したタッチパネル一体型有機ＥＬ表示装置用センサ電極基材、および第１のガラス基材上に、粘着層等を介して第１の透明基材を積層し、当該第１の透明基材上にセンサ電極を形成したタッチパネル一体型有機ＥＬ表示装置用センサ電極基材を含む。
【０１４３】
本発明によれば、第１のガラス基材上に貼着されたセンサ電極基材と、第２のガラス基材上に貼着された有機ＥＬ基材とを貼り合わせる貼合工程を有することにより、熱等による各基材の収縮を抑制することができ、精度の高い位置合わせを行うことができる。また、各部材を第１のガラス基材および第２のガラス基材上にそれぞれ積層していくことにより、各部材を支持基材上に個別に形成する場合に比べて、タッチパネル一体型有機ＥＬ表示装置の厚みを薄くすることが可能となる。
なお、具体的な効果については、上記「Ａ．センサ電極基材」の項に記載した内容と同様とすることができるため、ここでの記載は省略する。
【０１４４】
以下、本発明の有機ＥＬ表示装置の製造方法における、センサ電極基材準備工程、有機ＥＬ基材準備工程および貼合工程について説明する。
【０１４５】
１．センサ電極基材準備工程
本発明におけるセンサ電極基材準備工程は、第１のガラス基材上に貼着され、第１の透明基材上にセンサ電極が形成されたセンサ電極基材を準備する工程である。
【０１４６】
本工程において用いられる第１のガラス基材は、一般的な表示装置の製造工程において用いられるガラス基材と同様のものを用いることができる。また、ここで用いられる第１のガラス基材は、本発明の製造方法の最後に剥離することができる部材であるため、その厚みや大きさについては、特に限定されない。
【０１４７】
なお、本工程において形成されるセンサ電極基材については、上記「Ａ．センサ電極基材」の項で記載した内容と同様とすることができるため、ここでの説明は省略する。
【０１４８】
２．有機ＥＬ基材準備工程
本発明における有機ＥＬ基材準備工程は、第２のガラス基材上に貼着された有機ＥＬ基材を準備する工程である。
【０１４９】
本工程において形成される有機ＥＬ基材は、一般的な有機ＥＬ基材であれば特に限定されるものではなく、製造方法も公知の方法を採用することができる。なお、有機ＥＬ基材については、例えば、特開２０１５−１６２５８８号公報、特開２０１５−０７２８２７号公報等と同様とすることができるため、ここでの説明は省略する。
【０１５０】
３．貼合工程
本発明における貼合工程は、センサ電極基材、および有機ＥＬ基材を貼り合わせる工程である。
【０１５１】
本工程における貼り合わせは、センサ電極基材および有機ＥＬ基材の間に粘着層等を設けることにより行うことができる。具体的には、センサ電極基材または有機ＥＬ基材の表面に粘着層を配置して圧着することにより貼り合わせることができる。
【０１５２】
本工程において用いられる粘着層は、一般的な有機ＥＬ表示装置の形成工程において用いることができるものと同様のものを用いることができるため、ここでの記載は省略する。
【０１５３】
４．その他の工程
本発明においては、上述したセンサ電極基材準備工程、有機ＥＬ基材準備工程、および貼合工程を有していれば良く、必要に応じてその他の工程を有していても良い。
例えば、センサ電極基材が加飾部や着色部、円偏光板等を有する場合には、それらの部材を形成する工程を有していても良い。
【０１５４】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１５５】
[実施例１]
キャリアガラス基材上に、透明基材形成用組成物としてポリイミド前駆体を塗布し、透明基材（ポリイミド基材）（厚み：１０μｍ）を形成した。
得られたポリイミド基材上に、ダイコート法を用いてアクリル系樹脂から構成されたアンカー層（厚み：０．５μｍ）を形成した。
次に、得られたアンカー層上に、スパッタリング法を用いて銀合金から構成された導電層を形成し、その後、レジストパターンをマスクとして導電層をエッチングした。これにより、メッシュ状の第１メッシュ電極（線幅：３μｍ、厚み：０．２μｍ）を形成した。
次に、第１メッシュ電極を覆うように、ダイコート法を用いてアクリル系樹脂から構成された絶縁層（厚み：１．５μｍ）を形成した。
次いで、絶縁層上に、第１メッシュ電極と同様に第２メッシュ電極（線幅：３μｍ、厚み：０．２μｍ）を形成した。
最後に、第２メッシュ電極を覆うように、ダイコート法を用いてアクリル系樹脂から構成された保護層（厚み：１．５μｍ）を形成した。
これにより、本発明のセンサ電極基材を得た。なお、第１メッシュ電極および第２メッシュ電極の配置は、例えば、図２、３に示すような配置とした。
【０１５６】
[実施例２]
アンカー層上に、ダイコート法を用いて被覆カーボンを顔料とするアクリル系樹脂から構成されたブラックマトリクス層（厚み：１．５μｍ）を形成した。その後、得られたブラックマトリクス層を、フォトリソグラフィ法を用いてパターニングし、同一材料から構成されるブラックマトリクス（線幅：５μｍ）および加飾部を形成したこと以外は、実施例１と同様の方法によりセンサ電極基材を得た。
なお、第１メッシュ電極および第２メッシュ電極は、ブラックマトリクスおよび加飾部と平面視上重なるような配置とした。
【０１５７】
[実施例３]
アンカー層上に形成されたブラックマトリクスの開口部に、図１４に示すように赤色着色部、緑色着色部および青色着色部を形成し、加飾部を形成しなかったこと以外は、実施例２と同様の方法によりセンサ電極基材を得た。
なお、着色部の厚みは２．０μｍであった。
【０１５８】
[実施例４]
アンカー層上に形成されたブラックマトリクスの開口部に、図１４に示すように赤色着色部、緑色着色部および青色着色部を形成したこと以外は、実施例２と同様の方法によりセンサ電極基材を得た。
なお、着色部の厚みは２．０μｍであった。
【０１５９】
[実施例５]
ポリイミド基材およびアンカー層の間に、円偏光板を形成したこと以外は、実施例１と同様の方法によりセンサ電極基材を得た。なお、円偏光板には、ポリイミド基材側から、直線偏光板、面内レターデーション値がλ／４に相当する位相差層、面内レターデーション値がλ／２に相当する位相差層、＋Ｃプレートを含む位相差層が、粘着層により順に積層されたものを用いた。
【０１６０】
[実施例６]
ポリイミド基材およびアンカー層の間に、円偏光板を形成したこと以外は、実施例４と同様の方法によりセンサ電極基材を得た。なお、円偏光板には、ポリイミド基材側から、直線偏光板、面内レターデーション値がλ／４に相当する位相差層、面内レターデーション値がλ／２に相当する位相差層、＋Ｃプレートを含む位相差層が、粘着層により順に積層されたものを用いた。
【０１６１】
[比較例１]
図１９に示すように、インジウム錫酸化物（ＩＴＯ）から構成されたセンサ電極４’（第１センサ電極４ａ’、第２センサ電極４ｂ’）（厚み：０．１３μｍ）を形成し、アンカー層を形成しなかったこと以外は、実施例１と同様の方法によりセンサ電極基材を得た。
【０１６２】
[比較例２]
膜厚２５μｍのＰＥＴ基材の一方の面上に第１メッシュ電極を形成し、他方の面上に第２メッシュ電極を形成することによりセンサ電極基材を得た。なお、第１メッシュ電極および第２メッシュ電極の材料や厚み等については、実施例１のポリイミド基材、第１メッシュ電極および第２メッシュ電極と同様とした。
【０１６３】
[比較例３]
第１のＰＥＴ基材上に第１メッシュ電極を形成し、第２のＰＥＴ基材上に第２メッシュ電極を形成し、これらを第１のＰＥＴ基材と第２のＰＥＴ基材とを接着剤を用いて貼り合せることにより積層し、第１メッシュ電極／第１のＰＥＴ基材／第２メッシュ電極／第２のＰＥＴ基材の順で積層されたセンサ電極基材を得た。なお、第１のＰＥＴ基材および第２のＰＥＴ基材の厚みは、比較例２のＰＥＴ基材と同様とし、第１メッシュ電極および第２メッシュ電極の材料や厚み等については、実施例１の第１メッシュ電極および第２メッシュ電極と同様とした。
【０１６４】
[評価]
１）外観
実施例１〜６および比較例１〜３により得られたセンサ電極基材について、外観の評価を行った。外観の評価は、具体的に、モアレが発生していないか、またはセンサ電極のパターンが見えていないか等の視認性の評価とし、いずれも目視により判断した。
結果は、表１に示す。
【０１６５】
２）耐屈曲性試験
実施例１〜６および比較例１〜３により得られたセンサ電極基材について、耐屈曲性試験を行った。耐屈曲性試験における測定条件は、下記の通りである。
なお、実施例１〜６、および比較例１は、キャリアガラス基材側からエキシマレーザ光をポリイミドとキャリアガラス基材の界面に集光させることにより、ポリイミドの界面側の一部にレーザーアブレージョンを起こし、キャリアガラス基材を剥離したセンサ電極基材を用い、下記条件の屈曲試験を行った。
＜測定条件＞
・サンプルサイズ：２００ｍｍ×１２０ｍｍ、１５０ｍｍ×７０ｍｍ
センサ電極基材を、長辺および短辺のいずれかの方向に３ｍｍＲで屈曲させることで試験を行った。
・曲げ半径Ｒ＝３ｍｍ
・回転数：１２０ｒｐｍ
・ストローク：２０ｍｍ
２０万回の屈曲試験を実施後における初期抵抗値からの抵抗値の変化率は、抵抗値変化率が２０％以内の信頼性試験として要求される水準を満たす条件下において、試験後抵抗値平均値／試験前抵抗値平均値×１００の式により算出した。また、試験後の外観の変化を目視により確認して評価を行った。
なお、本発明では、上述の耐屈曲性試験に合格することにて、タッチパネル一体型有機ＥＬ表示装置用センサ電極基材がフレキシブル性を有すると定義する。
結果は、表１に示す。
【０１６６】
【表１】
0006707836.tif 000002
【０１６７】
比較例１により得られたセンサ電極基材は、ＩＴＯから構成されたセンサ電極が見えてしまい、優れた外観を実現することはできなかった。また、比較例２、３により得られたセンサ電極基材は、ＰＥＴフィルム上でセンサ電極のパターニングを行ったため、パターニング精度が劣り、表示装置との貼り合せを行う際に位置ずれが生じ、モアレが発生して優れた外観を実現することはできなかった。
これに対し、実施例１〜６により得られたセンサ電極基材は、上述のような外観の不具合は生じず、優れた外観を実現することができた。
これは、本発明のセンサ電極基材が用いられる有機ＥＬ表示装置において、有機ＥＬ画素を有しない非表示領域とセンサ電極とが平面視上重なるように配置されていることに起因すると考えられる。
【０１６８】
比較例１〜３では、耐屈曲性試験後の抵抗値が６０ＭΩ以上となり、測定不可能であった。断線発生と判断される。
これに対し、実施例１〜６では、初期抵抗値からの抵抗値の変化率を最小限に抑えることができた。
これは、耐屈曲性試験後の外観の評価からも確認できたように、比較例１〜３においては、耐屈曲性試験後にセンサ電極の割れや剥がれといった不具合が生じている一方、実施例１〜６においては、耐屈曲性試験後におけるセンサ電極の上述のような不具合の発生が抑制されたことに起因すると考えられる。
【０１６９】
以上の結果から、実施例１〜６は、耐屈曲性試験に合格（判定：○）したが、比較例１〜３では、耐屈曲性試験に不合格（判定：△、×）であった。
【符号の説明】
【０１７０】
１      …センサ電極基材
２      …透明基材
３      …ブラックマトリクス
４      …センサ電極
４ａ    …第１メッシュ電極
４ｂ    …第２メッシュ電極
５      …絶縁層
６      …加飾部
８      …着色部
９      …円偏光板
１０    …ガラス（キャリアガラス）基材
３０    …有機ＥＬパネル
４０    …有機ＥＬ基材
１００  …有機ＥＬ表示装置
【図１】
0006707836.tif 000003
【図２】
0006707836.tif 000004
【図３】
0006707836.tif 000005
【図４】
0006707836.tif 000006
【図５】
0006707836.tif 000007
【図６】
0006707836.tif 000008
【図７】
0006707836.tif 000009
【図８】
0006707836.tif 000010
【図９】
0006707836.tif 000011
【図１０】
0006707836.tif 000012
【図１１】
0006707836.tif 000013
【図１２】
0006707836.tif 000014
【図１３】
0006707836.tif 000015
【図１４】
0006707836.tif 000016
【図１５】
0006707836.tif 000017
【図１６】
0006707836.tif 000018
【図１７】
0006707836.tif 000019
【図１８】
0006707836.tif 000020
【図１９】
0006707836.tif 000021